(57)【要約】      （修正有）【課題】水重量分を容器に入れて吊す、重力に引かれる力を応用して発電機を回し発電する。【解決手段】水道水・他の水類を吊す水重量として、吊された容器に定めた水量を入れ水重量として吊り降ろす。吊す水重量が落ちるエネルギーを活用し、吊す水重量を吊す高度差を発電に応用し、電力エネルギーをクリエイトする。【選択図】図１
2010059949.tif 000002
【特許請求の範囲】
【請求項１】
吊す水重量発電の目的は水道水を水重量に活用し発電を行い発電に使用した水を再利用する吊す水重量の重さを応用して発電する装置、水道水・他の水類を吊す水重量として活用し電力エネルギークリエイトする、吊す水重量重力落ちるエネルギーと吊す水重量を吊す高度差を発電に応用する、吊された容器に定めた水量を入れ水重量として吊り降ろす、水道水を活用すると水の再利用が行えるために発電する原動力費用を必要としない。
【発明の詳細な説明】
【技術分野】
【０００１】吊す水重量発電は水重量分を容器に入れて吊す、重力に引かれる力を応用して発電機を回し発電する、櫓内上下に備えた回転主軸歯車に回転用チェーンを吊すチェーンに水量を入れる容器を取付容器に水道水を入れることで吊す水重量に変わるチェーンに吊された水重量は重力により下方向に下がる力で櫓に備えた上下主軸歯車が回転し同時に変速機・発電機軸棒が回り発電ができる、変速機は軽量で一工程で発電機軸棒が高速回転用にタイヤ付スポーク車輪を使用する、吊す水重量発電は水重量を吊す高度差により発電力が増大する、水道水の再利用吊す水重量発電に活用した水道水は水重量に活用するだけで水道水は汚れていない水の再利用に低水圧で使える浴槽・洗濯水・水洗トイレ・散水に使う
【背景技術】
【０００２】水を活用した発電では水車による発電がありますが水路に水が流れないと発電できない。水力発電所はダムを造り水を貯水し隧道を造る高い所からパイプを備えて水圧を掛けた水力発電装置があります水力の流れる一工程で水は流れ去る
水量で発電する時間が短い、自然界では風力発電、太陽光発電がありますが、太陽光発電は夜と雨の日は発電できない気候に左右されます。
【発明の開示】
【発明が解決しようとする課題】
【０００３】吊す水重量発電：水を吊す所まで水を上げる・発電機軸棒の高速回転、吊す水重量分は水道水を利用する、水道水は水道水を給配する水道管内に水圧があり水圧のある所まで水道水は上がって行くので水道バルブ操作で行える
天場に備えたシスタンクに水道水を入れる、吊す水重量分を地上から汲み上げる必要はない
吊す容器に水道水を入れる、吊す水重量分になり重力に引かれて下方向に下がる
吊す水重量分と容器が下へ下がる力を回転する主軸歯車・変速機に連動発電機軸棒を高速回転させる
【課題を解決するための手段】
【０００４】吊す水重量発電：備えた発電機軸棒高速回転・水道水給水排水装置、櫓に備えたベアリングユニットに回転する主軸鉄棒を備え歯車・タイヤ付スポーク車輪変速機を横に並べて回転する主軸に固定する歯車に回転するチェーンを吊し上下縦形の輪になりチェーンに備えた容器に水道水を定量給水する吊す水重量になり水重量は下へ下がるチェーン・歯車・タイヤ付スポーク車輪・主軸と共に発電機軸棒高速回転し発電する
水道水の給水・排水：櫓上面に水道用シスタンクを備え水道用配管をしてシスタンクに給水するシスタンクより回転するチェーンに備え容器に排水する
シスタンク内では水が定量になると給水が止まる排水を行うと又定量まで給水される繰返しが自動的に行える
【発明の効果】
【０００５】吊す水重量発電：地球上の重力応用吊す水重量発電は発電が大きい
地上より重量物を上方向に上げるには原動力が必要です
吊す水重量発電は水道水を活用して水再利用を行えるから発電できる
吊す水重量発電は高い所に水を上げる重要性があり吊す水重量水量がないと吊す水重量発電はできない
発電するには水道水を利用、水重量に・高い所まで上がる水圧を利用する
吊す水重量発電に水道水を水重量に活用している水道水は水重量に利用するのみで水道水は汚れていない、水道水は別排水水槽に排水水槽内で低圧になる低圧でも利用できる浴槽・洗濯水・水洗トイレに再利用する
水道水を活用後再利用行うから発電する原動力経費を必要としない
【発明を実施するための最良の形態】
【０００６】吊す水重量発電：水道水を吊す水重量に活用し水再利用を行う・変速機を軽量にする
水道水を吊す水重量に活用するには水道水を吊す高さに備えたシスタンクまで水圧の利用ができる、発電に活用した水を再利用行う
変速機を軽量にする：タイヤ付スポーク車輪を使用する、櫓に備えたベアリングニットに回転主軸を備え主軸に吊す水重量用歯車・タイヤ付スポーク車輪を備え主軸一回転するとスポーク車輪も一回転する仕組み発電機軸棒に高質ゴム輪を固定しタイヤ付スポーク車輪と回転するように合わせ発電機軸棒を一工程で高速回転を行う
【実施例】
【０００７】吊す水重量発電を行う・水再利用
櫓を組立櫓天場に水道用シスタンクを固定し備える、水道給水配管を櫓に固定するシスタンクに給水し定量で給水が止まる
櫓にベアリングユニットを左右に固定し回転鉄製軸棒に吊す水重量用歯車・タイヤ付スポーク車輪を固定して備える歯車に上下回転用チェーンを吊り下げるチェーンに容器を固定し容器にシスタンクより排水を行い水重量として吊り下がる、吊り下がる力が主軸・変速機が同時に回転し発電を行う、変速機ゴムタイヤに発電軸棒を調整し合わせると発電が始まる電流整流器を通りバッテリーに蓄電を行えた、排水水は再利用を行う高さよりやや高い所に排水槽を備え排水する
水槽内の水は低圧です低圧で水再利用に使える浴槽・洗濯水・水洗トイレに
発電実施例：車用ダイナモー発電機使用＝１２Ｖ用・バッテリー４５Ａに蓄電一分間に発電機軸棒回転数７００回以上でないと発電しない
吊す水重量を７．５ｋｇに定量吊す高さ５ｍ再利用水槽までの距離です一工程分
回転歯車直径・周囲・吊す高さ  歯車一回転  歯車・変速機回転数・変速機直径
７．５ｃｍ×３．１４＝２３．５５ｃｍ・５００ｃｍ÷２３．５５ｃｍ＝２１．２３回転    ７０ｃｍ
変速機外周囲・歯車回転数・変速機回転距離・発電機軸棒直径外周囲
７０×３．１４＝２１９．８ｃｍ×２１．２３回＝４．６６６ｃｍ・３ｃｍ×３．１４＝９．４ｃｍ
変速機回転距離・発電機軸棒外周囲・発電機軸棒回転数・吊し降ろす速度
４．６６６．６ｃｍ÷９．４ｃｍ＝４９６．４５回・１５秒
発電機軸棒回転数・吊し降ろす速度・秒速・一工程発電機軸棒回転１．９８５回転
４９６．４５回÷１５秒＝一秒に３３回転×６０秒＝１．９８５回転する
【産業上の利用可能性】
【０００８】水道水を低水圧で再利用を行える所
電化生活に必要とする電力に発電は欠かすことができない
水再利用には浴槽・洗濯・水洗トイレ・散水に洗い水・プールに一般家庭・駅・各学校・各会場・園芸・農業・工業に水再利用を行える
自然エネルギー活用の吊す水重量・風力・太陽光発電を共通すると良い
【図面の簡単な説明】
【０００９】
【図１】上面から見た平面図
【図２】立体側面図
【図３】正面立体図
【符号の説明】
【００１０】    １  設備をする櫓
２  ベアリングユニット＝主軸鉄棒回転ボックス
３  スプロケット＝固定歯車
４  シスタンク＝吊す容器に定量にボールタップ付き
５  吊し回転する容器
６  チェーン上下縦形に回転する
７  排水する別水槽
８  排水バルブ水再利用に導くパイプ口
９  タイヤ付スポーク車輪変速機
１０  変速機で回転を行う連動チェーン
１１  主軸鉄棒
１２  発電機
１３  発電機軸棒＝軸棒に高質ゴム輪円筒形を固定
１４  水道水給水配管
１５  下に取り付ける主軸・下の歯車回転の補助
１６  逆さに空になった吊るされる容器
【図１】
2010059949.tif 000003
【図２】
2010059949.tif 000004
【図３】
2010059949.tif 000005